(57)【特許請求の範囲】
【請求項１】
送信デバイス（110）であって、
ダウンリンク制御情報（DCI）（210-1）内の以下の3つの送信バースト情報：
現在のサブフレームが終端サブフレームであるか否か、
終端サブフレーム構成、および／または
監視すべきサブフレームの数
のうちの少なくとも2つを結合符号化し、
前記送信バースト情報を含む前記DCI（210-1）を送信し、前記DCI（210-1）が、物理ダウンリンク共有チャネル（PDSCH）スケジューリングに使用されるDCIフォーマット（220-1）と同じ数のビットを有する、
ように構成される送信デバイス（110）。
【請求項２】
前記DCI（210-1）が、前記DCI（210-1）が送信バースト情報を含むことの指示を含む、請求項1に記載の送信デバイス（110）。
【請求項３】
受信デバイス（120-2）がPDSCH上にスケジュールされていないと判断し、送信バースト情報用のDCIフォーマット（220-2）を含む前記DCI（210-1）を送信するか、または
受信デバイス（120-2）がPDSCH上にスケジュールされていると判断し、送信バースト情報に加えてPDSCHスケジューリング用のDCIフォーマット（220-3）を含む前記DCI（210-1）を送信する
ようにさらに構成される、請求項1または2に記載の送信デバイス（110）。
【請求項４】
前記DCIフォーマット（220-2、220-3）が同じ数のビットを含む、請求項3に記載の送信デバイス（110）。
【請求項５】
受信デバイス（120-2）がPDSCH上にスケジュールされていると判断し、PDSCHスケジューリング用のDCIフォーマット（220-1）を含む第2のDCI（210-2）を送信する
ようにさらに構成される、請求項1または2に記載の送信デバイス（110）。
【請求項６】
前記DCI（210-1）が送信バースト情報を含むことの前記指示が、DCIフォーマット0が使用されることを示すフラグを含む、請求項2から5のいずれか一項に記載の送信デバイス（110）。
【請求項７】
前記DCI（210-1）が送信バースト情報を含むことの前記指示が、DCIフォーマット0／1Aが使用されることを示すフラグ以外のビットに含まれる、請求項2から5のいずれか一項に記載の送信デバイス（110）。
【請求項８】
前記DCI（210-1）が送信バースト情報を含むことの前記指示が、あらかじめ定義されたコードポイントを含む、請求項2から5のいずれか一項に記載の送信デバイス（110）。
【請求項９】
前記あらかじめ定義されたコードポイントが、前記DCI（210-1、210-2）内のリソース割当て情報から導出された無効状態である、請求項8に記載の送信デバイス（110）。
【請求項１０】
結合無線リソース制御（RRC）構成および物理層シグナリングによって終端サブフレーム構成を示すようにさらに構成される、請求項1から9のいずれか一項に記載の送信デバイス（110）。
【請求項１１】
RRCシグナリングによって示される送信電力に加えられるべきオフセットとして負でない値を提供することにより、CRS／CSI-RS信号電力を示すようにさらに構成される、請求項1から10のいずれか一項に記載の送信デバイス（110）。
【請求項１２】
PDSCHスケジューリングに使用されるDCIフォーマット（220-1）を決定するようにさらに構成される、請求項1から11のいずれか一項に記載の送信デバイス（110）。
【請求項１３】
送信デバイス（110）における方法（400）であって、
ダウンリンク制御情報（DCI）（210-1）内の以下の3つの送信バースト情報：
現在のサブフレームが終端サブフレームであるか否か、
終端サブフレーム構成、および／または
監視すべきサブフレームの数
のうちの少なくとも2つを結合符号化するステップと、
前記送信バースト情報を含む前記DCI（210-1）を送信するステップ（403）であって、前記DCI（210-1）が、物理ダウンリンク共有チャネル（PDSCH）スケジューリングに使用されるDCIフォーマット（220-1）と同じ数のビットを有する、ステップ（403）
を含む方法（400）。
【請求項１４】
受信デバイス（120）であって、
送信バースト情報を含むダウンリンク制御情報（DCI）（210-1）を受信し、前記DCI（210-1）が、物理ダウンリンク共有チャネル（PDSCH）スケジューリングに使用されるDCIフォーマット（220-1）と同じ数のビットを有し、
受信された前記DCI（210-1）が前記送信バースト情報を含むと判断し、
前記DCI（210-1）から以下の3つの前記送信バースト情報：
現在のサブフレームが終端サブフレームであるか否か、
終端サブフレーム構成、および／または
監視すべきサブフレームの数
のうちの少なくとも2つを導出する
ように構成される受信デバイス（120）。
【請求項１５】
前記DCI（210-1）が前記送信バースト情報を含むことの前記DCI（210-1）内の指示に基づいて、前記受信されたDCI（210-1）が送信バースト情報を含むと判断するようにさらに構成される、請求項14に記載の受信デバイス（120）。
【請求項１６】
前記受信デバイス（120）がPDSCHでスケジュールされるとき、PDSCHスケジューリング用のDCIフォーマット（220-1）を含む第2のDCI（210-2）を受信し、
前記第2のDCI（210-2）からPDSCHスケジューリング用の制御情報を導出し、
前記第2のDCI（210-2）内で受信された制御情報に基づいて、PDSCH上で受信された任意の情報を復号する
ようにさらに構成される、請求項14または15に記載の受信デバイス（120）。
【請求項１７】
前記受信されたDCI（210-1）が、送信バースト情報に加えてPDSCHスケジューリング用のDCIフォーマット（220-3）と、前記DCI（210-1）が送信バースト情報に加えて前記PDSCHスケジューリング用の制御情報も含むことの指示とを含み、前記受信デバイス（120）が、
前記受信されたDCI（210-1）からデータ送信バーストに関する情報と前記PDSCHスケジューリング用の制御情報との両方を導出し、
前記受信されたDCI（210-1）の制御情報に基づいて、PDSCH上で受信された任意の情報を復号する
ようにさらに構成される、請求項14または15に記載の受信デバイス（120）。
【請求項１８】
受信デバイス（120）における方法（600）であって、
送信バースト情報を含むダウンリンク制御情報（DCI）（210-1）を受信するステップ（601）であって、前記DCI（210-1）が、物理ダウンリンク共有チャネル（PDSCH）スケジューリングに使用されるDCIフォーマットと同じ数のビットを有する、ステップ（601）と、
受信された（601）前記DCI（210-1）が前記送信バースト情報を含むと判断するステップ（602）と、
受信された（601）前記DCI（210-1）から以下の3つの前記送信バースト情報：
現在のサブフレームが終端サブフレームであるか否か、
終端サブフレーム構成、および／または
監視すべきサブフレームの数
のうちの少なくとも2つを導出するステップ（603）と
を含む方法（600）。
【請求項１９】
コンピュータプログラムがコンピュータ上で実行されるときに、請求項13または18に記載の方法（400、600）を実施するためのプログラムコードを有する、コンピュータプログラム。
【発明の詳細な説明】
【技術分野】
【０００１】
本明細書に記載される実施形態は、一般に、送信デバイス、送信デバイスにおける方法、受信デバイス、および受信デバイスにおける方法に関する。特に、本明細書では、ダウンリンク制御シグナリングによって受信デバイスに送信バースト情報を提供するためのメカニズムが記載される。
【背景技術】
【０００２】
第3世代パートナーシッププロジェクト（3GPP）ロングタームエボリューション（LTE）リリース13、ライセンス補助アクセス（LAA）では、送信は、リッスンビフォアトーク（LBT）手順に従い、送信バーストに基づいている。
【０００３】
LAAは、ライセンス補助キャリアアグリゲーションと呼ばれることもあり、キャリアの集約に関係し、1次セルは、認可スペクトルを使用して重要な情報および保証されたサービス品質を配信し、たとえばWiFiと共有されたスペクトルなどの無認可スペクトルを使用して送信データレートを機敏に高める。
【０００４】
送信バーストは、以下のように定義されたダウンリンク（DL）およびアップリンク（UL）上にある。各DL送信バーストは、同じコンポーネントキャリア（CC）上の同じノードからの直前または直後に送信がないDL送信ノードからの連続送信である。ユーザ機器（UE）の観点からの各UL送信バーストは、同じCC上の同じUEからの直前または直後の送信がないUEからの連続送信である。
【０００５】
認可スペクトルにおける送信とは異なり、たとえば、4msなどの最大チャネル占有時間に関連するLBT手順に起因して、送信が最後のサブフレーム全体を占有することができるかは不明である。したがって、終端サブフレームは、通常のサブフレームよりも短い持続時間を有する場合がある。ダウンリンク送信バーストの場合、終端サブフレームのタイプおよび構成に関して、ダウンリンクパイロット時間スロット（DwPTS）構造または完全なサブフレームを使用して、DL送信バーストの最後のサブフレーム内のDLトランスポートブロックを送信できることが想定される。
【０００６】
基準信号であるセル固有基準信号（CRS）／チャネル状態情報基準信号（CSI−RS）は、DL発見基準信号（DRS）内で送信され、それらは無線リソース管理（RRM）測定に使用される。DRSもLBTの対象であり、発見信号測定タイミング構成（DMTC）内で送信することができる。CRS／CSI−RSは、DL送信バースト内で送信することもでき、それらは、チャネル推定、CSI測定、および同期に使用される。DL送信バーストの場合、たとえば、DRS内の一定のCRS／CSI−RS電力、または送信バーストにわたる動的なCRS／CSI−RS電力などの、いくつかの合意および動作仮定が行われている。前者の場合、受信デバイス／UEは、DRSがDMTC内で送信されるサブフレームにかかわらず、DRS内のCRSおよびCSI−RSの送信電力がRRM測定に対して一定であると仮定してもよい。後者の場合、UEは、DL送信バーストの各サブフレーム内でCRSおよびCSI−RSの送信が一定の電力を有すると仮定してもよく、UEは、CRSおよびCSI−RSの送信電力が送信バーストにわたって同じであると仮定しなくてもよい。
【０００７】
加えて、LAAは、1／2または4／6の直交周波数分割多重（OFDM）シンボルCRS（送信バーストにおける動的マルチキャスト／ブロードキャスト単一周波数ネットワーク（MBSFN）構成）、進行中の送信バーストにおける（現在のサブフレームから始まる）予想DLサブフレーム数、UEがダウンリンク制御情報を監視し、CSI測定を実施する必要がない間のDL送信終了後のサブフレーム数、CSI−RS／CSI−IMの存在などの、送信バーストに関するいくつかの他の情報をサポートすることができる。
【０００８】
上記の情報のうちの少なくともいくつかは、物理ダウンリンク共有チャネル（PDSCH）受信、基準信号受信電力（RSRP）測定、および／またはCSI報告を容易にするために、UEに示される場合がある。そのような情報をLAA UEに提供するための方法が本明細書に開示される。
【発明の概要】
【課題を解決するための手段】
【０００９】
以前知られていた従来の解決策では、LAA送信デバイス／eノードBは、主にPDSCHスケジューリング目的のためであり、CRS／CSI−RS電力、終端サブフレームのタイプおよび構成などのLAA固有情報のいずれも示さない、物理ダウンリンク制御チャネル（PDCCH）／拡張PDCCH（EPDCCH）上のレガシーダウンリンク制御情報（DCI）を送信する。
【００１０】
レガシーDCIベースの制御情報の欠点は、CRS／CSI−RS電力の情報が受信デバイスに提供されないことを含む。これにより、異なるバーストにわたるチャネル平均化およびフィルタリングが異なるCRS／CSI−RS電力から導出され得るので、受信機側でCRS／CSI−RS電力の誤解が発生し、さらにチャネル推定およびRSRP／CSI報告の確度に関する性能損失がもたらされる可能性がある。CRS／CSI−RS電力は、ブラインド検出から受信デバイスによって導出することが可能ではない場合があることに留意されたい。さらに、終端サブフレーム構成の情報は受信デバイスに提供されない。これにより、受信デバイス内のレートマッチングが不確実になり、受信デバイスが終端サブフレーム構成をブラインド検出する必要があり、受信デバイスの複雑さが増し、潜在的にブロックエラーレートが上昇する可能性がある。
【００１１】
したがって、上述された欠点のうちの少なくともいくつかを取り除き、受信デバイスへのバースト関連情報の提供を改善することが目的である。この目的および他の目的は、添付の独立請求項の特徴によって達成される。さらなる実装形態は、従属請求項、明細書、および図面から明らかである。
【００１２】
第1の態様によれば、ダウンリンク制御シグナリングによって受信デバイスに送信バースト情報を提供するための送信デバイスが提供される。送信デバイスは、送信バースト情報を含むダウンリンク制御情報（DCI）を送信するように構成され、DCIは、PDSCHスケジューリングに使用されるDCIフォーマットと同じ数のビットを有する。
【００１３】
記載された態様の結果、データ送信に関する送信バースト情報は、LAAネットワーク環境において、PDSCHがスケジュールされていない受信デバイスの場合も、受信デバイスに提供される可能性がある。受信デバイスは、送信バースト情報を導出することが可能である。
【００１４】
第1の態様による送信デバイスの第1の可能な実装形態では、送信デバイスは、たとえばDCIの送信前に、DCIが送信バースト情報を含むことの指示を設定するようにさらに構成される。
【００１５】
それにより、受信デバイスは、指示の結果、送信バースト情報を導出することが可能である。
【００１６】
第1の態様、または第1の態様による送信デバイスの第1の可能な実装形態による送信デバイスの第2の可能な実装形態では、送信デバイスは、受信デバイスがPDSCH上にスケジュールされていないと判断し、送信バースト情報用のフォーマットを含むDCIを送信すること、または受信デバイスがPDSCH上にスケジュールされていると判断し、送信バースト情報に加えてPDSCHスケジューリング用のフォーマットを含むDCIを送信することを行うようにさらに構成される場合がある。
【００１７】
それにより、1つのDCIを使用して、送信バースト情報とPDSCHスケジューリング用の制御情報の両方は、PDSCHがスケジュールされた受信デバイスに提供される場合がある。さらに、シグナリングオーバーヘッドが低く保たれる。
【００１８】
第1の態様、またはその前述された可能な実装形態のいずれかによる送信デバイスの第3の可能な実装形態では、DCIは、それが送信バースト情報のみを含むか、またはそれがPDSCHスケジューリング用の情報制御も含むかにかかわらず、同じ数のビットを含む、すなわち、前記DCIフォーマットは同じ数のビットを含む。
【００１９】
それにより、送信バースト情報とPDSCHスケジューリング用の制御情報の両方は、受信デバイスのブラインド復号の数を増加させることなく、PDSCHがスケジュールされた受信デバイスに提供される場合がある。さらに、シグナリングオーバーヘッドが低く保たれる。
【００２０】
第1の態様、またはその前述された可能な実装形態のいずれかによる送信デバイスの第4の可能な実装形態では、送信デバイスは、受信デバイスがPDSCH上にスケジュールされていると判断し、PDSCHスケジューリング用のフォーマットを含む第2のDCIを送信するようにさらに構成される。
【００２１】
それにより、従来のDCIフォーマットを修正することなく、PDSCHスケジューリング用の制御情報は、PDSCHがスケジュールされた受信デバイスに提供される場合がある。さらに、シグナリングオーバーヘッドが低く保たれる。
【００２２】
第1の態様、またはその前述された可能な実装形態のいずれかによる送信デバイスの第5の可能な実装形態では、DCIが送信バースト情報を含むことを指定する指示は、DCIフォーマット0が使用されることを示すフラグを含む。
【００２３】
次いで、受信デバイスが、より多くのシグナリングオーバーヘッドをもたらすことなく、3GPP LTEリリース13では使用されていないフラグを再使用することにより、異なるDCIフォーマットを有するDCIを互いに区別することが可能になる。
【００２４】
第1の態様、またはその前述された可能な実装形態のいずれかによる送信デバイスの第6の可能な実装形態では、DCIが送信バースト情報を含むことを指定する指示は、DCIフォーマット0／1Aが使用されることを示すフラグ以外のビットに含まれる。
【００２５】
次いで、受信デバイスが、受信デバイスのためのブラインド復号の数を増加させることなく、異なるDCIフォーマットを有するDCIを互いに区別することが可能になる。さらに、アップリンクPUSCHスケジューリングに使用されるDCIフォーマット0に対する順方向の互換性が保証される。
【００２６】
第1の態様、またはその前述された可能な実装形態のいずれかによる送信デバイスの第7の可能な実装形態では、DCIが送信バースト情報を含むことを指定する指示は、あらかじめ定義されたコードポイントを含む送信バースト情報を含む。
【００２７】
それにより、受信デバイスが、いかなる追加ビットも導入することなく、異なるDCIフォーマットを有するDCIを互いに区別することが可能になる。別の利点は、アップリンクPUSCHスケジューリングに使用されるDCIフォーマット0に対する順方向の互換性が保証されることである。
【００２８】
第1の態様、またはその前述された可能な実装形態のいずれかによる送信デバイスの第8の可能な実装形態では、あらかじめ定義されたコードポイントは、DCI内のリソース割当て情報から導出された無効状態である。
【００２９】
それにより、リソース割当てに無効状態を使用することによる効率的な方法は、いかなる追加ビットも導入することなく、異なるDCIフォーマットを有するDCIを互いに区別するために使用される。
【００３０】
第1の態様、またはその前述された可能な実装形態のいずれかによる送信デバイスの第9の可能な実装形態では、送信デバイスは、以下の3つの送信バースト情報：現在のサブフレームが終端サブフレームであるか否か、終端サブフレーム構成、および／または監視すべきサブフレームの数のうちの少なくとも2つを結合符号化するようにさらに構成される。
【００３１】
結合符号化を適用することにより、結合符号化による情報ビットの数が4ビットであり、個別符号化の場合6ビットであるため、シグナリングオーバーヘッドが低減される場合がある。
【００３２】
第1の態様、またはその前述された可能な実装形態のいずれかによる送信デバイスの第10の可能な実装形態では、送信デバイスは、結合無線リソース制御（RRC）構成および物理層シグナリングにより、終端サブフレーム構成を示すようにさらに構成される。
【００３３】
結合符号化を適用することにより、シグナリングオーバーヘッドが低減される場合がある。
【００３４】
第1の態様、またはその前述された可能な実装形態のいずれかによる送信デバイスの第11の可能な実装形態では、送信デバイスは、RRCシグナリングによって示される送信電力に加えられるべきオフセットとして負でない値を提供することにより、CRS／CSI−RS信号電力を示すようにさらに構成される。
【００３５】
それにより、シグナリングオーバーヘッドは、いかなる負の値ももたないことによって低減される。
【００３６】
第1の態様、またはその前述された可能な実装形態のいずれかによる送信デバイスの第12の可能な実装形態では、送信バースト情報は、終端サブフレーム構成、ならびに／または、セル固有基準信号（CRS）および／もしくはチャネル状態情報基準信号（CSI−RS）の電力のうちのいずれかを含む。
【００３７】
それにより、送信デバイスは、たとえば、PDSCH受信、RSRP測定、および／またはCSI報告に使用され得る基本情報を受信デバイスに提供することができる。
【００３８】
第1の態様、またはその前述された可能な実装形態のいずれかによる送信デバイスの第13の可能な実装形態では、送信デバイスは、PDSCHスケジューリングに使用されるDCIフォーマットを決定するようにさらに構成される。
【００３９】
それにより、さらなる利点が達成される。
【００４０】
第2の態様によれば、ダウンリンク制御シグナリングによって受信デバイスに送信バースト情報を提供するための方法が送信デバイス内に提供される。方法は、送信バースト情報を含むダウンリンク制御情報（DCI）を送信するステップを含み、DCIは、PDSCHスケジューリングに使用されるDCIフォーマットと同じ数のビットを有する。
【００４１】
記載された態様の結果、データ送信に関する送信バースト情報は、LAAネットワーク環境において、PDSCHがスケジュールされていない受信デバイスの場合も、受信デバイスに提供される可能性がある。したがって、受信デバイスは、送信バースト情報を導出することが可能である。
【００４２】
第2の態様による方法の第1の可能な実装形態では、方法は、たとえばDCIの送信前に、DCIが送信バースト情報を含むことの指示を設定するステップをさらに含む。
【００４３】
したがって、受信デバイスは、指示から送信バースト情報を導出することが可能である。
【００４４】
第2の態様、または第2の態様の第1の可能な実装形態による方法の第2の可能な実装形態では、方法は、受信デバイスがPDSCH上にスケジュールされていないと判断し、送信バースト情報用のフォーマット含むDCIを送信するステップ、および／または受信デバイスがPDSCH上にスケジュールされていると判断し、送信バースト情報に加えてPDSCHスケジューリング用のフォーマットを含むDCIを送信するステップをさらに含む。
【００４５】
それにより、1つのDCIを使用して、送信バースト情報とPDSCHスケジューリング用の制御情報の両方は、PDSCHがスケジュールされた受信デバイスに提供される場合がある。さらに、シグナリングオーバーヘッドが低く保たれる。
【００４６】
第2の態様、またはその前述された可能な実装形態のいずれかによる方法の第3の可能な実装形態では、DCIは、それが送信バースト情報のみを含むか、またはそれがPDSCHスケジューリングの用の情報制御も含むかにかかわらず、同じ数のビットを含む、すなわちDCIフォーマットは同じ数のビットを含む。
【００４７】
それにより、送信バースト情報とPDSCHスケジューリング用の制御情報の両方は、受信デバイスのブラインド復号の数を増加させることなく、PDSCHがスケジュールされた受信デバイスに提供される場合がある。さらに、シグナリングオーバーヘッドが低く保たれる。
【００４８】
第2の態様、またはその前述された可能な実装形態のいずれかによる方法の第4の可能な実装形態では、方法は、受信デバイスがPDSCH上にスケジュールされていると判定し、PDSCHスケジューリング用のフォーマットを含む第2のDCIを送信するステップをさらに含む。
【００４９】
それにより、従来のDCIフォーマットを修正することなく、PDSCHスケジューリング用の制御情報は、PDSCHがスケジュールされた受信デバイスに提供される場合がある。さらに、シグナリングオーバーヘッドが低く保たれる。
【００５０】
第2の態様、またはその前述された可能な実装形態のいずれかによる方法の第5の可能な実装形態では、DCIが送信バースト情報を含むことを指定する指示は、DCIフォーマット0が使用されることを示すフラグを含む。
【００５１】
次いで、受信デバイスが、より多くのシグナリングオーバーヘッドをもたらすことなく、3GPP LTEリリース13では使用されていないフラグを再使用することにより、異なるDCIフォーマットを有するDCIを互いに区別することが可能になる。
【００５２】
第2の態様、またはその前述された可能な実装形態のいずれかによる方法の第6の可能な実装形態では、DCIが送信バースト情報を含むことを指定する指示は、DCIフォーマット0／1Aが使用されることを示すフラグ以外のビットに含まれる。
【００５３】
次いで、受信デバイスが、受信デバイスのためのブラインド復号の数を増加させることなく、異なるDCIフォーマットを有するDCIを互いに区別することが可能になる。さらに、アップリンクPUSCHスケジューリングに使用されるDCIフォーマット0に対する順方向の互換性が保証される。
【００５４】
第2の態様、またはその前述された可能な実装形態のいずれかによる方法の第7の可能な実装形態では、DCI210−1、210−2が送信バースト情報を含むことを指定する指示は、あらかじめ定義されたコードポイントを含む送信バースト情報を含む。
【００５５】
それにより、受信デバイスが、いかなる追加ビットも導入することなく、異なるDCIフォーマットを有するDCIを互いに区別することが可能になる。別の利点は、アップリンクPUSCHスケジューリングに使用されるDCIフォーマット0に対する順方向の互換性が保証されることである。
【００５６】
第2の態様、またはその前述された可能な実装形態のいずれかによる方法の第8の可能な実装形態では、あらかじめ定義されたコードポイントは、DCI内のリソース割当て情報から導出された無効状態である。
【００５７】
それにより、リソース割当てに無効状態を使用することによる効率的な方法は、いかなる追加ビットも導入することなく、異なるDCIフォーマットを有するDCIを互いに区別するために使用される。
【００５８】
第2の態様、またはその前述された可能な実装形態のいずれかによる方法の第9の可能な実装形態では、方法は、以下の3つの送信バースト情報：現在のサブフレームが終端サブフレームであるか否か、終端サブフレーム構成、および／または監視すべきサブフレームの数のうちの少なくとも2つを結合符号化するステップをさらに含む。
【００５９】
結合符号化を適用することにより、結合符号化による情報ビットの数が4ビットであり、個別符号化の場合6ビットであるため、シグナリングオーバーヘッドが低減される場合がある。
【００６０】
第2の態様、またはその前述された可能な実装形態のいずれかによる方法の第10の可能な実装形態では、方法は、結合RRC構成および物理層シグナリングにより、終端サブフレーム構成を示すステップをさらに含む。
【００６１】
結合符号化を適用することにより、シグナリングオーバーヘッドが低減される場合がある。
【００６２】
第2の態様、またはその前述された可能な実装形態のいずれかによる方法の第11の可能な実装形態では、方法は、RRCシグナリングによって示される送信電力に加えられるべきオフセットとして負でない値を提供することにより、CRS／CSI−RS信号電力を示すステップをさらに含む。
【００６３】
それにより、シグナリングオーバーヘッドは、いかなる負の値ももたないことによって低減される。
【００６４】
第1の態様、またはその前述された可能な実装形態のいずれかによる方法の第12の可能な実装形態では、送信バースト情報は、終端サブフレーム構成、ならびに／または、CRSおよび／もしくはCSI−RSの電力のうちのいずれかを含む。
【００６５】
それにより、送信デバイスは、たとえば、PDSCH受信、RSRP測定、および／またはCSI報告に使用され得る基本情報を受信デバイスに提供することができる。
【００６６】
第1の態様、またはその前述された可能な実装形態のいずれかによる方法の第13の可能な実装形態では、方法は、PDSCHスケジューリングに使用されるDCIフォーマットを決定するステップをさらに含む。
【００６７】
それにより、さらなる利点が達成される。
【００６８】
第3の態様によれば、送信デバイスからのダウンリンク制御シグナリングによって送信バースト情報を受信するための受信デバイスが提供される。受信デバイスは、送信バースト情報を含むDCIを受信するように構成され、DCIは、PDSCHスケジューリングに使用されるDCIフォーマットと同じ数のビットを有する。さらに、受信デバイスは、受信されたDCIが送信バースト情報を含むと判断するように構成される。加えて、受信デバイスは、DCIから送信バースト情報を導出するように構成される。
【００６９】
それにより、記載された態様の結果、データ送信に関する送信バースト情報は、LAAネットワーク環境において、PDSCHがスケジュールされていない受信デバイスの場合も、送信デバイスから取得される可能性がある。それにより、たとえば、PDSCH受信、RSRP測定、および／またはCSI報告に使用され得る情報が取得される。
【００７０】
第3の態様による受信デバイスの第1の可能な実装形態では、受信デバイスは、DCIが送信バースト情報を含むことを指定する、DCI内の指示に基づいて、受信されたDCIが送信バースト情報を含むと判断するようにさらに構成される。
【００７１】
それにより、受信デバイスは、様々なタイプの情報を含むDCIを区別することができる。
【００７２】
第3の態様、または第3の態様の第1の可能な実装形態による受信デバイスの第2の可能な実装形態では、受信デバイスは、受信デバイスがPDSCHでスケジュールされるとき、PDSCHスケジューリング用のフォーマットを含む第の2DCIを受信することと、第2のDCI内で受信された制御情報に基づいて、第2のDCIからPDSCHスケジューリング用の制御情報を導出し、PDSCH上で受信された任意の情報を復号することとを行うようにさらに構成される。
【００７３】
したがって、受信デバイスは、PDSCHスケジューリング用の標準化されたDCIフォーマットに影響を与えることなく、第1のDCI上の送信バースト関連情報を受信しながら、第2のDCIからPDSCHスケジューリング用の制御情報を取得することができる。
【００７４】
第3の態様、または第3の態様の第1の可能な実装形態による受信デバイスの第3の可能な実装形態では、受信されたDCIは、送信バースト情報に加えてPDSCHスケジューリング用のフォーマットと、送信バースト情報に加えてDCIがPDSCHスケジューリング用の制御情報も含むことの指示とを含む。受信デバイスは、受信されたDCIからデータ送信バーストに関する情報とPDSCHスケジューリング用の制御情報の両方を導出することと、受信されたDCIの制御情報に基づいて、PDSCH上で受信された任意の情報を復号することとを行うようにさらに構成される。
【００７５】
したがって、受信デバイスは、ブラインド復号を増加させることなく、PDSCHスケジューリング用の制御情報および送信バースト情報を取得することができる。
【００７６】
第4の態様によれば、送信デバイスからのダウンリンク制御シグナリングを介して送信バースト情報を受信するための方法が受信デバイス内に提供される。方法は、送信バースト情報を含むDCIを受信するステップを含み、DCIは、PDSCHスケジューリングに使用されるDCIフォーマットと同じ数のビットを有する。加えて、方法は、受信されたDCIから送信バースト情報を導出するステップをさらに含む。さらに、方法は、指示に基づいて、受信されたDCIが送信バースト情報を含むと判断するステップを含む。
【００７７】
それにより、記載された態様の結果、データ送信に関する送信バースト情報は、LAAネットワーク環境において、PDSCHがスケジュールされていない受信デバイスの場合も、送信デバイスから取得される可能性がある。それにより、たとえば、PDSCH受信、RSRP測定、および／またはCSI報告に使用され得る情報が取得される。
【００７８】
第4の態様による方法の第1の可能な実装形態では、方法は、DCIが送信バースト情報を含むことを指定する、DCI内の指示に基づいて、受信されたDCIが送信バースト情報を含むと判断するステップをさらに含む。
【００７９】
それにより、受信デバイスは、様々なタイプの情報を含むDCIを区別することができる。
【００８０】
第4の態様、または第4の態様の第1の可能な実装形態による方法の第2の可能な実装形態では、方法は、受信デバイスがPDSCHでスケジュールされるとき、PDSCHスケジューリング用のフォーマットを含む第の2DCIを受信するステップと、第2のDCI内で受信された制御情報に基づいて、第2のDCIからPDSCHスケジューリング用の制御情報を導出し、PDSCH上で受信された任意の情報を復号するステップとをさらに含む。
【００８１】
したがって、受信デバイスは、PDSCHスケジューリング用の標準化されたDCIフォーマットに影響を与えることなく、第1のDCI上の送信バースト関連情報を受信しながら、第2のDCIからPDSCHスケジューリング用の制御情報を取得することができる。
【００８２】
第4の態様、または第4の態様の第1の可能な実装形態による方法の第3の可能な実装形態では、受信されたDCIは、送信バースト情報に加えてPDSCHスケジューリング用のフォーマットと、送信バースト情報に加えてDCIがPDSCHスケジューリング用の制御情報も含むことの指示とを含む。方法は、受信されたDCIからデータ送信バーストに関する情報とPDSCHスケジューリング用の制御情報の両方を導出するステップと、受信されたDCIの制御情報に基づいて、PDSCH上で受信された任意の情報を復号するステップとをさらに含む。
【００８３】
したがって、受信デバイスは、ブラインド復号を増加させることなく、PDSCHスケジューリング用の制御情報および送信バースト情報を取得することができる。
【００８４】
第5の態様によれば、コンピュータプログラムは、コンピュータプログラムがコンピュータ上で実行されるときに、第2の態様による方法もしくはその任意の可能な実装形態、または第4の態様による方法もしくはその任意の可能な実装形態を実施するためのプログラムコードを提供される。
【００８５】
それにより、記載された態様の結果、データ送信に関する送信バースト情報は、LAAネットワーク環境において、PDSCHがスケジュールされていない受信デバイスの場合も、ダウンリンク制御シグナリングによって送信デバイスから受信デバイスに交換される可能性がある。それにより、たとえば、PDSCH受信、RSRP測定、および／またはCSI報告に、受信デバイスによって使用され得る情報が取得される。
【００８６】
本発明の態様の他の目的、利点、および新規の特徴は、以下の発明を実施するための形態から明らかになる。
【００８７】
本発明の実施形態の例を示す添付の図面を参照して、様々な実施形態がより詳細に記載される。
【図面の簡単な説明】
【００８８】
【図１】一実施形態によるワイヤレス通信ネットワークを示すブロック図である。
【図２Ａ】一実施形態によるワイヤレス通信ネットワークを示すブロック図である。
【図２Ｂ】一実施形態によるDCIフォーマットを示すブロック図である。
【図３Ａ】一実施形態によるワイヤレス通信ネットワークを示すブロック図である。
【図３Ｂ】一実施形態によるDCIフォーマットを示すブロック図である。
【図４】本発明の一実施形態による送信デバイスにおける方法を示すフローチャートである。
【図５】本発明の一実施形態による送信デバイスを示すブロック図である。
【図６】本発明の一実施形態による受信デバイスにおける方法を示すフローチャートである。
【図７】本発明の一実施形態による受信デバイスを示すブロック図である。
【発明を実施するための形態】
【００８９】
本明細書に記載された本発明の実施形態は、下記に記載される実施形態において実践され得る、本明細書内の送信デバイス、受信デバイス、およびそれらにおける方法として定義される。しかしながら、これらの実施形態は、多くの異なる形態で例示および実現されてもよく、本明細書に記載された例に限定されるべきではなく、むしろ、実施形態のこれらの説明のための例は、本開示が完璧かつ完全になるように提供される。
【００９０】
さらに他の目的および特徴は、添付の図面と併せて考慮される以下の発明を実施するための形態から明らかになるであろう。しかしながら、図面は例示の目的のみで設計されており、添付の特許請求の範囲に対して参照が行われる、本明細書に開示された実施形態の限界の定義として設計されていないことを理解されたい。さらに、図面は、必ずしも縮尺通りに描かれておらず、他に示されない限り、それらは、本明細書に記載された構造および手順を概念的に示すものであるに過ぎない。
【００９１】
図1は、受信デバイス120とのワイヤレスインタフェースを介して、信号、データ、および／またはデータパケットを通信するための、送信デバイス110を含むワイヤレス通信ネットワーク100についての概略図である。
【００９２】
送信デバイス110および受信デバイス120は、LAA通信用に、すなわち、認可スペクトルを使用して重要な情報および保証されたサービス品質を配信する1次セルと、無認可スペクトルを使用してデータレートをベストエフォートベースで機敏に高めるコロケートされた2次セルとを集約するように構成される場合がある。
【００９３】
そのような1次セルは、たとえば、3GPPのLTE、LTEアドバンスト、LTE第4世代モバイルブロードバンド標準、発展型ユニバーサル地上無線アクセスネットワーク（E−UTRAN）などに、少なくとも部分的に基づく場合がある。2次セルは、いくつかの少ない選択肢を挙げるだけでも、たとえば、LTE、WiFi、または任意の他の無認可通信技術に基づく場合がある。
【００９４】
「ワイヤレス通信ネットワーク」、「ワイヤレス通信システム」、および／または「セルラー電気通信システム」という表現は、本開示の技術的文脈内で、時々互換的に利用される場合がある。
【００９５】
送信デバイス110は、いくつかの実施形態によれば、LAAに従ったワイヤレスダウンリンク送信のために構成される場合があり、それぞれ、たとえば、基地局、ノードB、発展型ノードB（eNBもしくはeノードB）、トランシーバ基地局、アクセスポイント基地局、基地局ルータ、無線基地局（RBS）、マクロ基地局、マイクロ基地局、ピコ基地局、フェムト基地局、ホームeノードB、センサ、ビーコンデバイス、リレーノード、リピータ、または、たとえば、使用される無線アクセス技術および／もしくは用語に応じて、ワイヤレスインタフェースを介した受信デバイス120との通信用に構成された任意の他のネットワークノードと呼ばれる場合がある。
【００９６】
時々、「セル」という表現は、無線ネットワークノード自体を表記するために使用される場合がある。しかしながら、セルは、通常の述語では、基地局サイトにある無線ネットワークノードによって無線カバレッジが提供される地理的エリアに使用される場合もある基地局サイトに位置する1つの無線ネットワークノードは、1つまたは複数のセルにサービスを提供することができる。無線ネットワークノードは、それぞれの無線ネットワークノードの範囲内の任意のUEと、無線周波数上で動作する無線インタフェースを介して通信することができる。
【００９７】
それに対応して、受信デバイス120は、LAAに従ったワイヤレス受信のために構成される場合があり、様々な実施形態および様々な語彙により、たとえば、UE、ワイヤレス通信端末、モバイル携帯電話、携帯情報端末（PDA）、ワイヤレスプラットホーム、移動局、タブレットコンピュータ、ポータブル通信デバイス、ラップトップ、コンピュータ、リレーとして働くワイヤレス端末、リレーノード、モバイルリレー、加入者宅内機器（CPE）、固定ワイヤレスアクセス（FWA）ノード、または1つもしくは複数の送信デバイス110とワイヤレスに通信するように構成された任意の他の種類のデバイスによって表される場合がある。
【００９８】
図1の1つの送信デバイス110および1つの受信デバイス120の図示されたネットワーク設定は、実施形態の非限定的な例としてのみ見なされるべきことに留意されたい。ワイヤレス通信ネットワーク100は、送信デバイス110および／または受信デバイス120の任意の他の数および／または組合せを備えることができ、したがって、開示された発明のいくつかの実施形態に関与してもよい。
【００９９】
したがって、「one」または「a／an」の送信デバイス110および／または受信デバイス120が本文脈で参照されるときはいつでも、いくつかの実施形態により、複数の送信デバイス110および／または受信デバイス120が関与してもよい。
【０１００】
解決すべき1つの重要な問題は、受信デバイス120がPDSCH受信、RSRP測定、および／またはCSI報告を実施することを容易にするために、送信デバイス110がどのようにダウンリンク制御情報を送信することができるかである。
【０１０１】
より具体的には、開示された解決策は、PDSCH送信がある受信デバイス120だけでなく、場合によってはRSRP／CSI測定のためにPDSCH送信がない受信デバイス120にも送信バースト情報を示すことと、シグナリングオーバーヘッドを低く保つことと、（E）PDCCHブラインド復号の数の増加を回避することと、仕様の影響を小さく保つこととを目的とする。
【０１０２】
PDSCH送信がない受信デバイス120はさらに、送信バースト情報の正しい情報、たとえばCRS／CSI−RS電力に基づいてCSIを報告するか、またはRSRP測定を行う必要があり得る。加えて、PDSCH送信がない受信デバイス120は、いくつかのバースト情報（たとえば、それがMBSFNサブフレームであるかどうか、受信デバイス120が監視する必要がない間のDL送信の終了後のサブフレームの数）が示される可能性がある場合、低減された複雑さまたは電力節約から恩恵を受けることができる。それにより、受信機側でエネルギーが節約される場合がある。
【０１０３】
送信バースト情報は、受信デバイス120がブラインド復号することが困難なはずの以下の情報、すなわちCRS／CSI−RS電力および終端サブフレーム構成、すなわち終端サブフレーム内のOFDMシンボルの数を含む場合がある。
【０１０４】
さらに、送信バースト情報は、受信デバイス120がブラインド復号することが可能であり得る以下の情報：受信されたサブフレームが終端サブフレームであるか否か、CSI−RS／CSI−IMの存在、CQI／CSI報告要求、MBSFNサブフレームかどうか、もしくはサブフレーム内のCRSシンボルの数、進行中の送信バーストにおける（現在のサブフレームから始まる）予想されるDLサブフレームの数、および／または受信デバイス120がDL制御情報を監視し、CSI測定を実施する必要がない間のDL送信終了後のサブフレームの数のうちの1つを含む場合もある。
【０１０５】
PDSCHがない受信デバイス120は、送信バースト情報によって示される場合がある。
【０１０６】
PDSCH送信がある受信デバイス120は、送信バースト情報と、PDSCHスケジューリング用のDL割当て、たとえば、リソース割当て、MCSなどの両方によって示される場合がある。
【０１０７】
一般的な概念は、受信デバイス120の（E）PDCCHブラインド復号の数を増加させることなく、ダウンリンク制御シグナリングを使用してバースト関連情報を送信することである。送信バースト情報の全部または一部が、PDSCHスケジューリングに使用されるDCIフォーマットと同じ数のビットを有するDCIフォーマットに含まれる場合、ブラインド復号の数は増加しない。同じ数のビットを有するこれら2つのタイプのDCIを区別するために、DCIフォーマット内の（インジケータと呼ばれる場合もある）指示が、DCIフォーマットがPDSCHスケジューリングに使用されるか使用されないか（すなわち、それが送信バースト情報を含むかどうか）を通知するために使用される。
【０１０８】
一実施形態によれば、LAA送信デバイス110は、送信バースト情報用の第1のDCIおよびデータスケジューリングに使用されるDCIを送信することができ、第1のDCIフォーマットは、DCIフォーマット0／1Aと同じ数のビットを有する。第1のDCIフォーマット内のインジケータは、図2Aおよび図2Bでさらに議論され説明されるように、フォーマット0／1Aまたは第1のDCIフォーマットが使用されているかどうかを示すことができる。
【０１０９】
別の実施形態によれば、LAA送信デバイス110は、送信バースト情報およびPDSCHスケジューリング用の制御情報のために単一の第2のDCIを送信する。PDSCHがスケジュールされていない受信デバイス120がRSRP／CSI測定を実施することを容易にするために、図3Aおよび図3Bでさらに議論され説明されるように、指示は、DCIがバースト関連情報のみに使用されるか、またはPDSCHスケジューリングにも使用されるかを示すために第2のDCIフォーマットに含まれる場合がある。
【０１１０】
別の実施形態によれば、LAA送信デバイス110は、セル固有制御チャネル、たとえば、物理制御フォーマットインジケータチャネル（PCFICH）様のチャネルおよび第3のDCIを送信することができ、PCFICH様のチャネルは送信バースト情報を示し、第3のDCIはPDSCH用の制御情報を示す。PCFICH様のチャネルに含まれるバースト情報は、それにより、受信デバイス120がPDSCHを送信するか否かにかかわらず取得可能である。
【０１１１】
低いシグナリングオーバーヘッドおよび小さい仕様の影響を保つために、すべての実施形態において、CRS／CSI−RS電力指示および／または送信バーストサブフレーム情報にシグナリング低減技法が適用される。
【０１１２】
上記で簡単に記載された3つの実施形態は、この後、図2Aに示された第1の実施形態から始めて、より深く説明され議論される。
【０１１３】
この第1の実施形態では、送信デバイス110は、送信バースト情報を含む第1のDCI210−1を、PDSCHがスケジュールされていない受信デバイス120−1と、PDSCHがスケジュールされている受信デバイス120−2の両方に送信することができる。さらに、送信デバイス110は、データスケジューリングを含む第2のDCI210−2を、PDSCHがスケジュールされている受信デバイス120−2に送信することができる。
【０１１４】
送信バースト情報は、PDSCHスケジューリング用のDCIフォーマットと同じサイズ、すなわち同じ数のビットを有する第1のDCI210−1によって示される。複数のDCIフォーマットをPDSCHスケジューリングに使用することができ、第1のDCI210−1は、たとえばDCIフォーマット1AなどのPDSCHスケジューリング用の1つのDCIフォーマットのサイズを有する。図2Bにさらに示されるように、第1のDCI210−1が送信バースト情報に使用されることを指定する指示が第1のDCI210−1内に存在してもよい。
【０１１５】
図2Bは、データスケジューリングを含む、第2のDCI210−2内で利用されるPDSCHスケジューリング用のDCIフォーマット220−1を示す。いくつかの実施形態では、それはDCIフォーマット0／1Aであってもよい。
【０１１６】
さらに、第1のDCI210−1内で利用される送信バースト情報用のDCIフォーマット220−2は、たとえばDCIフォーマット0／1AなどのPDSCHスケジューリング用のDCIフォーマット220−1と同じサイズ（同じ数のビット）をもち、同じ受信機固有探索空間を共有する。したがって、送信バースト情報は、DCIフォーマット、たとえばDCIフォーマット0／1AなどのPDSCHスケジューリング用のDCIフォーマット220−1と同じ数のビットを有するDCIフォーマット220−2によって示されてもよい。
【０１１７】
したがって、いくつかの実施形態では、PDSCHスケジューリング用のDCIフォーマット220−1が使用されているか、または送信バースト情報用のDCIフォーマット220−2が使用されているかを示すために、DCIフォーマット220−2内にインジケータが存在する場合がある。その上、LAAアップリンクを伴う順方向機能を保証するために、いくつかの実施形態では、フォーマット0またはDCIフォーマット220−2が使用されているかどうかを示すために、DCIフォーマット220−2内にインジケータが存在する場合がある。DCI210−1、210−2は、異なる実施形態では、PDCCHまたはEPDCCHを使用して送信される場合がある。
【０１１８】
DCIフォーマット220−2は送信バースト情報を含み、送信バースト情報は、データスケジューリングに使用されるDCI210−2によって提供される情報以外の送信バースト用に提供される任意のレイヤ1制御情報、PCFICHおよびPHICHを指す。
【０１１９】
いくつかの実施形態では、データスケジューリングに使用されるDCI210−2には、送信バースト情報は含まれなくてもよい。
【０１２０】
受信デバイス120が、第1のDCI210−1とデータスケジューリングに使用される第2のDCI210−2の両方を受信することができるために、受信デバイス120は、それが第1のDCI210−1を正しく復号する場合でも、データスケジューリングに使用されるDCI210−2を監視する必要がある。
【０１２１】
第1のDCI210−1および第2のDCI210−2は同じサイズを有する、すなわち同じ数のビットを有するので、受信デバイス120は、何らかの方法でそれらを区別する必要がある。
【０１２２】
いくつかの実施形態では、送信バースト情報を示すために、DCIフォーマット0が使用される場合がある。
【０１２３】
現在のLTE（たとえば、LTEリリース8〜12）では、受信デバイス120は、2次キャリアをスケジュールするPDSCH用のUE固有探索空間において、PDCCH／DCIに対して一定数のブラインド復号を実施し、ブラインド復号の総数は、受信デバイス120によって監視されるべき異なるDCIサイズ（ビット数）に関連する。現在、各々の構成された各送信モードを監視するために、2つのダウンリンクDCIサイズが存在する。同じ数のブラインド復号を保証するために、DCIフォーマット220−2は、PDSCHスケジューリング用のDCIフォーマット220−1と同じサイズのフォーマットであってもよい。
【０１２４】
一実施形態では、値0がフォーマット0を示し、値1がフォーマット1Aを示す、フォーマット0／フォーマット1Aを区別するためのフラグビット（1ビット）を設定することにより、送信バースト情報用のDCIフォーマット220−2に仮想DCIフォーマット0が使用される場合がある。このビットは、受信デバイス120が（バースト関連情報を含む）DCIフォーマット220−2と（PDSCHスケジューリング用の）DCIフォーマット220−1を区別できるように、ゼロに設定されてもよい。LAA2次キャリア内にアップリンクPUSCHスケジューリングが存在せず、これはリリース13のDCIフォーマット0がアップリンク目的に使用されないことを意味することに留意されたい。
【０１２５】
この実装形態では、第1のDCI210−1は第1の実施形態によるPDSCHスケジューリング用のいかなる情報を示すためにも使用されず、それにより、バースト関連情報を示すための多数の未使用ビットが残ることにも留意されたい。
【０１２６】
DCIフォーマット220−2の一例は、キャリアインジケータ（0または3ビット）、0に設定されたフォーマット0／フォーマット1A区別用フラグ（1ビット、値0はフォーマット0を示し、値1はフォーマット1Aを示す）、LAAバースト情報を示すためのLAA送信バースト情報、Yビットであり得るし、すべての残りのビットは0に設定される場合がある。
【０１２７】
LAA送信バースト情報の一例は、表1に示されたように、1／2または4／6のOFDMシンボルCRS（1ビット）であり得る。
【０１２８】
【表１】
0006727562.tif 000002
【０１２９】
同じように、1／2のOFDMシンボルCRSはMBSFNサブフレームとして解釈することができ、4／6のOFDMシンボルCRSは非MBSFNサブフレームとして解釈することができる。
【０１３０】
表2に示された、終端サブフレームのタイプおよび予想DLサブフレームの数（4ビット）。
【０１３１】
【表２】
0006727562.tif 000003
【０１３２】
監視すべきサブフレームの数および終端サブフレーム構成は、1つの情報フィールドによって示すことができることに留意されたい。サポートされる最大占有時間が4msより大きい場合、より多くの状態を使用することができる。監視すべきサブフレームの数は、現在のサブフレームまたは次のサブフレームから始まる監視すべきサブフレームの数として解釈することができる。この情報は、いくつかの実施形態では、現在のサブフレームまたは次のサブフレームから始まるダウンリンクバーストの持続時間に一般化される場合がある。
【０１３３】
受信デバイス120がダウンリンク制御情報を監視し、CSI測定を実施する必要がない間のDL送信の終了後のサブフレームの数（4ビット）、表3参照。
【０１３４】
【表３】
0006727562.tif 000004
【０１３５】
表4に示されたCRS／CSI−RS電力（2ビット）
【０１３６】
【表４】
0006727562.tif 000005
【０１３７】
表5に示されたCSI−RS／CSI−IMの存在（1ビット）。このフィールドが存在するか否かは、非周期的なCSI−RS／CSI−IMの判断に関連することに留意されたい。
【０１３８】
【表５】
0006727562.tif 000006
【０１３９】
表6に示されたEPDCCH／PDSCHレートマッチング用のDRSの存在（1ビット）。このフィールドが存在するか否かは、サブフレーム＃0／5以外のサブフレームにおけるPDSCHとDRSの多重化の判断に関連することに留意されたい。
【０１４０】
【表６】
0006727562.tif 000007
【０１４１】
受信デバイス120は、バースト関連情報を含む第1のDCI210−1を正しく受信すると、データスケジューリングに使用される第2のDCI210−2を監視し続けることができ、監視されたDCIフォーマット220−1、220−2は、構成された送信モードに関連する。
【０１４２】
これは、既存のDCIフォーマット1Aに変更がなく、PDCCHブラインド復号が増加しないので有利である。
【０１４３】
しかしながら、いくつかの他の実施形態では、DCIの使用が追加され得ることを示すために、1つのフラグビット（フォーマット0／フォーマット1A区別用フラグ）以外のさらなるビットが追加されてもよい。
【０１４４】
たとえば、「フォーマット0／フォーマット1A区別用フラグ」フィールドは2ビットを備え、送信バースト情報用のDCIフォーマット220−2が使用されることを示す1つのコードポイントが存在する。さらなるビットは、既存の1ビット「フォーマット0／フォーマット1A区別用フラグ」以外の任意のビット、たとえば、パディングビットまたは新しい情報ビットであってもよい。
【０１４５】
いくつかの実施形態では、DCIの使用を示すために同じ追加ビットを使用して、フォーマット1Aおよびフォーマット0に対応する変更が行われる場合がある。したがって、ブラインド復号の数は、追加されたビットによって増加しない。
【０１４６】
これは、アップリンクPUSCHスケジューリングに使用されるDCIフォーマット0に対する順方向の互換性が保証され得るので有利である。
【０１４７】
いくつかのさらなる実施形態では、第1のDCI210−1および第2のDCI210−2は、セルRNTI（C−RNTI）以外の無線ネットワーク一時識別子（RNTI）によって第1のDCI210−1をスクランブルすることによって区別される場合があり、すなわち、指示はC−RNTI以外のRNTIを使用して暗黙的に構成される。
【０１４８】
一例は、DCIフォーマット220−2が、C−RNTI以外のRNTI、たとえば、システム情報RNTI（SI−RNTI）、ページングRNTI（P−RNTI）、ランダムアクセスRNTI（RA−RNTI）によってスクランブルされる場合があることである。第1のDCI210−1は、UE固有探索空間から送信される。第1のDCI210−1は、DCIフォーマット0／1Aと同じサイズ（すなわち、同じ数のビット）を有する場合がある。SI−RNTI、P−RNTI、またはRA−RNTIでスクランブルされたDCIフォーマットが常に共通探索空間内で送信されることは、従来の解決法とは異なることに留意されたい。
【０１４９】
これは、既存のDCIフォーマット1Aに変更がなく、（E）PDCCHブラインド復号が増加しないので有利である。
【０１５０】
いくつかのさらなる実施形態では、さらなるビットを使用することなく、DCIタイプ（すなわち、第1のDCI210−1または第2のDCI210−2）を示すために、あらかじめ定義されたコードポイントが使用される場合がある。
【０１５１】
したがって、あらかじめ定義されたコードポイントは、DCI210−1がバースト送信に使用されることを示すことができる。このあらかじめ定義されたコードポイントは、スケジューリング目的に使用されるダウンリンク割当て／アップリンク許可に対して無効または未使用である、DCIフォーマット220−1、220−2の少なくとも1つの情報ビットである。この場合、DCI使用指示の目的のために、1ビット「フォーマット0／フォーマット1A区別用フラグ」以外のさらなるビットは導入されない。
【０１５２】
「フォーマット0／フォーマット1A区別用フラグ」が「0」である場合、受信デバイス120は、以下の1つまたは複数によって、受信されたDCIフォーマット220−1、220−2をDCIフォーマット220−2として解釈することができる。
【０１５３】
リソースブロック割当ておよびホッピングリソース割振り
【数１】
0006727562.tif 000008
ビットが「X」に設定され、ここでXは、無効であり、（N（N＋1）／2以上の10進値に対応する
【数２】
0006727562.tif 000009
ビットのバイナリ値であり、Nはあらかじめ定義された整数であり、アップリンク送信帯域幅に等しいか、または関連付けられたアップリンクキャリアが構成されていない場合のダウンリンク送信帯域幅に等しい。リソース割振り用の有効な状態の数は、（N（N＋1）／2）である。表7は、異なる帯域幅オプションの場合、正しい／一貫性のあるリソース割当てを示すためには使用されないいくつかの無効な状態が存在することを示す。アップリンクリソース割振りのすべての状態を示すために、（N（N＋1）／2）個だけの状態を使用することができ、
【数３】
0006727562.tif 000010
個の状態を使用しないままにすることができるので、これは有利である。一例は、「X」内のすべてのビットが1に設定されているか、0に設定されているLSBを除くすべてのビットが1に設定されていることである。
【０１５４】
【表７】
0006727562.tif 000011
【０１５５】
さらに、MCSとNDIの組合せに対応する無効な点：アップリンク許可DCIでは、MCSは32個の状態を表すために5ビットを有し、その中で、最後の3状態（MCS＝29／30／31）は、トランスポートブロックサイズおよび変調方式の指示がない再送信に使用される。ユーザ機器が最後の3つの状態のうちの1つを受信すると、受信デバイス120は、前の送信ブロックの再送信が必要であることを知り、最後のDCI送信を参照して送信ブロックサイズおよび変調方式を取得する。NDIは、トランスポートブロックが新しいトランスポートブロックであるべきか、再送信されたトランスポートブロックであるべきかを示す。通常のUL許可では、MCSの最後の状態の1つがDCI内で送信されると、NDIは再送信を示すために（以前の送信と比較して）トグルされない。したがって、トグルされるMCS＝29／30／31とNDIの組合せは、通常のデータ送信およびスケジューリングには有効でなく、送信バースト情報用のDCIフォーマット220−2を示すために使用することができる。
【０１５６】
「フォーマット0／フォーマット1A区別用フラグ」が「1」である場合、受信デバイス120は、以下の1つまたは複数により、受信されたDCIフォーマット220−1、220−2を送信バースト情報用のDCIフォーマット220−2として解釈することができる。
【０１５７】
局在／分散VRB割当てフラグ（1ビット）が「0」または「1」に設定され、リソースブロック割当てビットが「Y」に設定され、ここで、Yは、（M＋1）／2）以上の十進値に対応する
【数４】
0006727562.tif 000012
ビットのバイナリ値であり、Mはあらかじめ定義された整数であり、ダウンリンク送信帯域幅に等しい。コードポイント「局在／分散VRB割当てフラグ」（1ビット）は「0」に設定され、すべてのビットが「1」に設定された「リソースブロック割当て」は、1／14の物理ランダムアクセスチャネル（PRACH）をトリガするために、DCIフォーマット1Aによってすでに使用されていることに留意されたい。しかしながら、それは、元の使用が有効でなく、PRACH手順がPCellのDCIによってトリガされ得るので、DCIフォーマット220−2を示す目的のために再使用される場合がある。さらにDCIフォーマット1Aの使用と区別できるようにするために、PRACHをトリガするための前述されたコードポイントは回避される場合がある。
【０１５８】
MCSとNDIの組合せに対応する無効な点：前述されたUL許可と同様に、トグルされるMCS＝29／30／31とNDIの組合せは、データスケジューリングには有効でなく、DCIフォーマット220−2、すなわちバースト関連情報のみを含むDCI 210−1を示すために使用される可能性がある。
【０１５９】
この実施形態は、アップリンクPUSCHスケジューリングに使用されるDCIフォーマット0に対する順方向の互換性を保証することができ、情報ビットの増加がないので有利であり得る。
【０１６０】
LAAバースト情報にリリース12のDCIフォーマット1Aを再利用する一例は、下記：キャリアインジケータ（0または3ビット）、値0がフォーマット0を示し、値1がフォーマット1Aを示す、フォーマット0／フォーマット1A区別用フラグ（1ビット）のように情報ビットを設定することである。
【０１６１】
フォーマット1Aは、フォーマット1AのCRCがC−RNTIでスクランブルされ、すべての残りのフィールドが、局在／分散VRB割当てフラグ（1ビットが「1」に設定される）、全ビットが1に設定される場合があるリソースブロック割当て
【数５】
0006727562.tif 000013
ビット、LAAバースト情報を示すために使用されるLAA送信バースト情報（Yビット）のように設定される場合のみ、LAA送信バースト情報を示すために使用される場合があり、残りのビットはすべて0に設定される場合がある。
【０１６２】
そうでない場合、DCIフォーマット1AはPDSCHスケジューリング：局在／分散VRB割当てフラグ（1ビット）、リソースブロック割当て
【数６】
0006727562.tif 000014
ビット、レガシーDCIフォーマット1A内の残りの情報フィールドに使用される場合がある。
【０１６３】
LAAバースト情報は、リソース割当てに関連する情報フィールドの後、およびDCIの使用を示すために使用される情報ビットの後に置かれる場合がある。
【０１６４】
（バースト関連情報を含む）第1のDCI210−1と（スケジューリング情報を含む）第2のDCI210−2の両方を受信するスケジュールされた受信デバイス120−2の場合、受信デバイス120−2は、第1のDCI210−1からバースト関連情報を導出し、RSRP／CSI測定、および第2のDCI210−2に関連付けられたPDSCHを復号することに、対応する情報を使用することができる。
【０１６５】
第1のDCI210−1のみを受信するスケジュールされていない受信デバイス120−1の場合、受信デバイス120−1は、第1のDCI210−1からバースト関連情報を導出し、RSRP／CSI測定に対応する情報を使用することができる。
【０１６６】
第2のDCI210−2のみを受信する受信デバイス120−2の場合、受信デバイス120−2は、場合によってはRSRP／CSI測定、および第2のDCI210−2に関連付けられたPDSCHを復号することに、送信バースト情報用のDCIタイプ220−2の最新の有効なDCI210−1からのバースト関連情報、またはデフォルト値もしくは無線リソース制御（RRC）構成値を使用することができる。
【０１６７】
この解決法は、送信デバイス110が第1のDCI210−1を送信しないときでも、受信デバイス120が依然RSRP／CSI測定およびPDSCH復号を実施することができ、制御シグナリングオーバーヘッドを節約するので有利であり得る。
【０１６８】
第2の実施形態によれば、DCI210−1は、図3Aに示されたように、バースト関連情報とPDSCHスケジューリング情報の両方を含んで送信される場合がある。
【０１６９】
したがって、LAA送信デバイス110は、バースト関連情報とPDSCH用の制御情報の両方のために、単一のDCI210−1を送信することができる。RSRP／CSI測定を実施するようにPDSCHがスケジュールされていない受信デバイス120−1を支援するために、DCI210−1がバースト関連情報のみを含むかPDSCHスケジューリング情報も含むかを示すために、利用されたDCIフォーマット内に指示が存在する場合がある。
【０１７０】
第2の実施形態によるDCIフォーマットは、それがバースト関連情報のみを含むか、バースト関連情報および加えてPDSCHスケジューリング用の制御情報を含むかにかかわらず、固定されたサイズ／数のビットを有する場合がある。DCIフォーマットがバースト関連情報のみを含む場合、PDSCHスケジューリングに対応するビットはあらかじめ定義された値に設定することができ、それらのあらかじめ定義された値は仮想巡回冗長検査（CRC）ビットと捉えることができるので、それにより、DCI210−1の復号信頼性が向上する。
【０１７１】
この第2の実施形態では、DCI210−1は、PDSCHスケジューリング用の任意の情報を示すためにも使用されることに留意されたい。したがって、バースト関連情報に使用されるビットを減らし、かつ／または下記のように情報ビットを設定することにより、既存のDCIフォーマット1Aにいくつかのさらなる情報ビットを追加することが有益であり得る：キャリアインジケータ（0または3ビット）、値0がフォーマット0を示し、値1がフォーマット1Aを示すフォーマット0／フォーマット1A区別用フラグ（1ビット）。
【０１７２】
フォーマット1Aは、フォーマット1AのCRCがC−RNTIでスクランブルされ、すべての残りのフィールドが、「1」に設定された局在／分散VRB割当てフラグ（1ビット）、全ビットが1に設定される場合があるリソースブロック割当て
【数７】
0006727562.tif 000015
ビット、LAAバースト情報を示すために使用されるLAA送信バースト情報（Yビット）のように設定される場合のみ、LAAバースト制御情報を示すために使用される。残りのビットはすべてゼロに設定される場合がある。
【０１７３】
そうでない場合、すなわち、第2の実施形態によるDCIが、バースト関連情報とPDSCHスケジューリング情報の両方を含むとき、局在／分散型VRB割当てフラグ（1ビット）、リソースブロック割当て
【数８】
0006727562.tif 000016
ビット、LAAバースト情報を示すために使用されるLAA送信バースト情報（Yビット）、レガシーDCIフォーマット1A内のすべての残りの情報フィールド。
【０１７４】
図3Bは、送信バースト情報のみに使用されるDCIフォーマット220−2、ならびに送信バースト情報とPDSCHスケジューリングの両方に使用される別のDCIフォーマット220−3を示す。送信バースト情報に使用されるDCI210−1を示すために、DCI210−1内に指示が存在する場合がある。
【０１７５】
同様に、上記の例のように、第2の実施形態によるDCI210−1も、DCIフォーマットXの拡張をもたらし、DCIフォーマットXでは、LAAバースト情報用の情報ビットは、DCIフォーマットXに、たとえば、情報フィールド「リソースブロック割当て」の直後に追加される場合がある。DCIフォーマットXは構成された送信モードに関連する、たとえば、送信モード9が構成されている場合、DCIフォーマットXはDCIフォーマット2Cであることに留意されたい。
【０１７６】
第2の実施形態によるDCIフォーマット220−2、220−3がDCIフォーマット1Aとは異なる数の情報ビットを有する場合のみ、バースト関連情報用の指示はなくてもよい、たとえば、DCIフォーマット220−2、220−3は、DCIフォーマット2Cの使用を可能にする送信モード、たとえば送信モード9で構成されている場合、DCIフォーマット2Cと同じ数の情報ビットを有する。
【０１７７】
これは、いくつかの実施形態では、小さいペイロードサイズのDCIフォーマット（すなわち、フォーマット1A）のみがバースト関連情報のみを示すことを許可され得るので、シグナリングオーバーヘッドの観点から有利である。
【０１７８】
この実装形態では、第2の実施形態によるDCI210−1も、DCIフォーマット220−3を使用して、PDSCHスケジューリング用の任意の情報を示すために使用されることに留意されたい。したがって、バースト関連情報に使用されるビットを削減することが有益である。シグナリング部分に示されるように、一例は、6ビットが追加され、2ビットがCRS／CSI−RS電力を示し、4ビットが終端サブフレーム構成を示すことである。
【０１７９】
異なる使用と区別するために、第2の実施形態によるDCIフォーマット220−2、220−3内の指示は、実施形態1で述べられた実装形態のいずれか1つである可能性がある。したがって、異なる使用と区別する、第2の実施形態によるDCIフォーマット220−2、220−3内の指示は、第1の実施形態に関連して述べられた上記で説明および提示された実装形態のうちのいずれか1つであり得る。
【０１８０】
バースト関連情報とPDSCHスケジューリングの両方のための第2の実施形態によるDCIを受信する受信デバイス120の場合、受信デバイス120は、受信されたDCIからバースト関連情報およびダウンリンク許可を導出することができ、RSRP／CSI測定、およびPDSCHを復号することに対応する情報を使用することができる。
【０１８１】
バースト関連情報のみのための第2の実施形態によるDCIを受信する受信デバイス120の場合、受信デバイス120は、受信されたDCIからバースト関連情報を導出することができ、RSRP／CSI測定に対応する情報を使用することができる。
【０１８２】
第3の実施形態によれば、セル固有制御チャネルは、バースト関連情報、およびPDSCHスケジューリング情報を提供するためのDCI210−2のために利用される場合がある。
【０１８３】
この実施形態は、LAA送信デバイス110が、物理制御フォーマットインジケータチャネル（PCFICH）、またはPCFICH様のチャネル、および第3の実施形態によるDCI210−2などの、セル固有制御チャネルを送信することであり、セル固有制御チャネルはバースト関連情報を示し、DCI210−2はPDSCH用の制御情報を示す。DCI210−2は、PDSCHスケジューリング用の前述されたDCIフォーマット220−1を有する場合がある。
【０１８４】
受信デバイス120は、DCI210−2ではなくセル固有制御チャネルを受信すると、RSRP／CSI測定を実施することが予想される場合もある。受信デバイス120は、セル固有制御チャネルとDCIフォーマット220−1の両方を受信すると、RSRP測定とCQI報告の両方を実施することができる場合がある。
【０１８５】
いくつかの実施形態では、セル固有制御チャネルの一実装形態はPCFICH様のチャネルである。
【０１８６】
PCFICH様のチャネルは、PCFICHと少なくとも同じフォーマットおよび／またはリソース要素に対する同じマッピングを使用して、物理チャネルまたは信号として定義される場合がある。PCFICH様のチャネルは、PCFICHがバースト関連情報を示すために使用されると解釈して、LTEリリース8からリリース12のPCFICHチャネルであり得る。制御長領域、PDSCHの開始シンボル位置、およびEPDCCHの開始シンボル位置は、PCFICHがバースト関連情報に使用される場合、RRCシグナリングによって構成される可能性がある。
【０１８７】
PCFICH様のチャネルは、バースト関連情報またはバースト関連情報の一部を示すために受信デバイス120によって使用することができる。PCFICH様のチャネルは4つの状態しか含んでいない場合があるので、それは基本的な制御情報のために使用される場合がある。より具体的には、PCFICH様のチャネルは、終端サブフレーム構成、すなわち、終端サブフレーム内のOFDMシンボルの数、および／またはCRS／CSI−RS電力のうちの少なくとも1つを示すために使用される場合がある。
【０１８８】
一例では、PCFICHの状態は、RRC構成情報（たとえば、CRS／CSI−RS電力、終端サブフレーム構成など）に対応する場合がある。
【０１８９】
一例は、バースト関連情報、たとえば、関連付けられた制御フォーマットインジケータ（CFI）が3に等しいPCFICHを示すためにPCFICHのいくつかの状態が使用される場合がある。そのような状態は、いくつかの実施形態では、バースト関連情報、またはバースト関連情報を含むRRC構成に直接対応する可能性がある。
【０１９０】
さらに、LTEでは、PCFICHの4つの状態のうち3つのみが現在使用されている。したがって、一例では、少なくとも4番目の状態は、バースト関連情報を示すために使用されてもよく、状態の少なくとも1つは、PCFICHについて定義されるように使用されてもよい。
【０１９１】
これは、PCFICH様のチャネルがすべての受信デバイス120によってセル固有の共有をされ、それにより、あらゆる受信デバイス120にUE固有のDCI210を送信する必要がないことによってシグナリングオーバーヘッドが低減されるので有利である。
【０１９２】
第3の実施形態によるDCIフォーマット220−1は、いくつかの実施形態では、送信バーストに関連するいかなる追加情報ももたないレガシーDCIであってもよいし、他の実施形態では、PCFICH様のチャネルに含まれる情報に加えて部分的なバースト関連情報を含む新しいDCIフォーマットチャネルであってもよい。部分的なバースト関連情報は、様々な実施形態では、PCFICHチャネルで送信される情報に加えて、バースト送信に関連する任意の情報、たとえば、非周期的なCSI要求、および／またはCSI−RS／CSI−IMの存在であってもよい。
【０１９３】
いくつかの実施形態による部分的なバースト関連情報を含む第3の実施形態によるDCIフォーマット220−1は、（たとえば、2つなどの）少数のビットしか送信することができないPCFICH様のチャネルに含まれないバーストに関連するいくつかの情報ビットは、受信デバイス120が完全なバースト関連情報を取得するのを助け、したがって、PDSCH復調およびRSRP／CSI測定を支援する、第3の実施形態によるDCIフォーマット220−1内で示される場合がある。
【０１９４】
バースト関連情報用のシグナリング設計は、制御チャネルオーバーヘッドをさらに低減するのに役立つことができ、それは本発明のすべての実施形態に適用される。
【０１９５】
第3のDCIフォーマット220−1の一例は、情報ビットを下記のように設定することにより、既存のDCIフォーマット1Aにいくつかのさらなる情報ビットを追加することであり得る：キャリアインジケータ（0または3ビット）、値0がフォーマット0を示し、値1がフォーマット1Aを示す、フォーマット0／フォーマット1A区別用フラグ（1ビット）、局在／分散VRB割当てフラグ（1ビット）、リソースブロック割当て
【数９】
0006727562.tif 000017
ビット、PCFICHによって示される情報に加えて残りのLAAバースト情報を示すために使用される、残りのLAA送信バースト情報（Zビット）、レガシーDCIフォーマット1A内のすべての残りの情報フィールド。
【０１９６】
同様に、上記の例のように、第3のDCI210もDCIフォーマットXの拡張をもたらし、DCIフォーマットXでは、残りのLAAバースト情報用の情報ビットは、DCIフォーマットXに、たとえば、情報フィールド「リソースブロック割当て」の直後に追加される場合がある。
【０１９７】
シグナリング設計は制御チャネルオーバーヘッドをさらに低減するのに役立ち、それは本明細書に開示されたすべての実施形態に適用される。
【０１９８】
一実施形態では、バースト情報は、前述された実施形態における方法（たとえば、DCIまたはPCFICH様のチャネル）によって伝達されるビットによって符号化される。
【０１９９】
別の実施形態では、前述された実施形態における方法（たとえば、DCIまたはPCFICH様のチャネル）によって伝達されるビットの少なくともいくつかは、RRC構成状態に関連付けられ、RRC状態は、バースト情報の一部を記述する。これは、送信デバイス110が必要なときにRRC状態を再構成することを可能にしながら、通知される必要があるビットの量を制限することができるので有利である。
【０２００】
いくつかの実施形態では、監視すべきサブフレームの終端サブフレームタイプ、構成、および数は、結合符号化することによって受信デバイスに通知される場合がある。これは、上述された実施形態のうちのいずれかによるDCI210に対して行われる場合がある。
【０２０１】
DL送信バーストの最後のサブフレーム内のDLトランスポートブロックは、DwPTS構造、または完全なサブフレームを使用して送信される場合がある。3個、6個、9個、10個、11個、および／または12個のOFDMシンボルからなる、いくつかの、たとえば6個のDwPTS構造が存在する。
【０２０２】
一実装形態は、以下の3つの情報：現在のサブフレームが終端サブフレームであるか否か、終端サブフレーム構成、すなわち終端サブフレームのOFDMシンボルの数、および／または監視すべきサブフレームの数のうちの少なくとも2つを結合符号化することを含む。結合符号化は、いくつかの実施形態によれば、情報がDCIフォーマット内の同じ情報フィールドを共有するものとして解釈することもできる。
【０２０３】
最大占有時間が4サブフレームであると仮定して、ビットを情報にマッピングする一例が表8に示される場合がある。
【０２０４】
【表８】
0006727562.tif 000018
【０２０５】
結合符号化による情報ビットの数が4ビットであり、個別符号化に6ビット（現在のサブフレームが終端サブフレームであるか否かに1ビット、監視すべきサブフレームの数に2ビット、終端サブフレーム構成に3ビット）必要なので、これはシグナリングオーバーヘッドの観点から有利である。
【０２０６】
一例は、表9に例示されるように、監視すべき少なくとも1つ以上のサブフレームが存在する場合に、ただ1つのコードポイントが「終端サブフレームではない」ことを示すことである。
【０２０７】
【表９】
0006727562.tif 000019
【０２０８】
一例は、表10に示されるように、監視すべき少なくとも1つ以上のサブフレームが存在する場合に「終端サブフレームではない」ことを示すただ2つのコードポイントが存在することであり、1つのコードポイントは、RRCによってあらかじめ定義または構成されたサブフレームの最大数を示し、他の1つのコードポイントは、少なくとも1つ以上の監視すべきサブフレームが存在することを示す。
【０２０９】
【表１０】
0006727562.tif 000020
【０２１０】
一例は、終端サブフレーム構成を示すために、結合RRC構成および物理層シグナリングが使用される場合があることである。これは、表11に示されたように行われる可能性がある。
【０２１１】
【表１１】
0006727562.tif 000021
【０２１２】
これは、シグナリングオーバーヘッドの観点から有利である。
【０２１３】
いくつかの実施形態によれば、CRS／CSI−RS電力は、
P＝P0＋delta
によって与えられる場合があり、
ここで、PはCRSまたはCSI−RSの電力であり、P0はRRCシグナリングによって示される電力であり、deltaは物理層シグナリング、および／または構成／アクティブ化された2次セル（SCell）、および／または同時に送信バーストを有するSCellの数から導出される電力オフセットである。
【０２１４】
deltaの一例は、常に負ではなく、たとえば、2ビットで示される0dB、1dB、2dB、3dBである。すべてのSCellが進行中の送信を有すると仮定してP0を与えることができ、それはCRS／CSI−RSの電力レベルの最小値であり得る。このようにして、P0と比較して等しいまたは増加したCRS／CSR−RS電力を有する最も一般的なケースは、シグナリングによってサポートすることができる。これは、いかなる負の値ももたないことにより、シグナリングオーバーヘッドが低減されるという利点がある。
【０２１５】
一例は、deltaが構成／アクティブ化されたLAAのSCellの数Numtotal、および／または同時に送信バーストを有するSCellの数Numburstから導出されることである。deltaは、
delta＝f（Numtotal，Numburst）
および
f（Numtotal，Numburst）＝floor（log2（Numtotal／Numburst））
によって与えられ、
ここで、floor（x）はxより大きくない最大の整数を表す。
【０２１６】
一実施形態によれば、deltaは、制御情報によって提供される固定数の情報ビット、Numtotalに関連する可変電力ステップサイズ、構成／アクティブ化されたSCellの数、および／またはNumbit、すなわち電力指示に使用される情報ビットの数から導出される場合があり、deltaは、
delta＝P1＊StepSize
および
StepSize＝g（Numtotal，Numbit）
および
【数１０】
0006727562.tif 000022
によって与えられる場合があり、
ここで、floor（x）はxより大きくない最大の整数を表し、P1は物理層シグナリングからの指示値である。
【０２１７】
第3の実施形態によるPCFICH様のチャネルとDCI210の両方を受信する受信デバイス120の場合：
受信デバイス120は、DCI210からバースト関連情報を導出することができ、RSRP／CSI測定、およびDCI210に関連付けられたPDSCHを復号することに、対応する情報を使用することができる。
【０２１８】
PCFICH様のチャネルのみを受信する受信デバイス120の場合：
受信デバイス120は、PCFICH様のチャネルからバースト関連情報を導出し、RSRP／CSI測定に対応する情報を使用することができる。
【０２１９】
図4は、ダウンリンク制御シグナリングによって受信デバイス120に送信バースト情報を提供するための、送信デバイス110における方法400の実施形態を示すフローチャートである。
【０２２０】
送信デバイス110および受信デバイス120は、ワイヤレス通信ネットワーク100に含まれてもよい。そのようなワイヤレス通信ネットワーク100は、LAAに基づく場合がある。
【０２２１】
送信バースト情報は、様々な実施形態により、終端サブフレーム構成、CRSおよび／もしくはCSI−RSの電力、現在のサブフレームが終端サブフレームであるか否か、1／2もしくは4／6のOFDMシンボルCRS、MBSFNもしくは非MBSFN、現在進行中の送信バースト内で、現在のサブフレームから始まる、予想されるダウンリンクサブフレームの数、ダウンリンク送信終了後のサブフレームの数、受信デバイス120が送信を検出し、DCIを監視し、CSI測定を実施する必要がない間の持続時間、CSI−RS／CSI−IMの存在、またはEPDCCH／PDSCHレートマッチングのためのDRSの存在のうちのいずれかを含む場合がある。終端サブフレームのタイプおよび構成は、いくつかの実施形態では、DL送信バーストの最後のサブフレーム内のDL送信ブロックの数であり得る。
【０２２２】
いくつかの実施形態では、DCI210−1の送信バースト情報が、終端サブフレーム構成ならびに／またはCRSおよび／もしくはCSI−RSの電力を含むとき、この情報はPDSCH上にスケジュールされない受信デバイス120によっても使用される場合があるので、それは特に有利であり得る。
【０２２３】
送信バースト情報を受信デバイス120に適切に提供するために、方法400は、いくつかの動作401〜407を含む場合がある。
【０２２４】
しかしながら、記載された動作401〜407のうちのいずれか、いくつか、またはすべては、様々な実施形態により、列挙が示すものとは若干異なる時系列で実施されてもよく、同時に実施されてもよく、さらに完全に逆の順序で実施されてもよい。さらに、いくつかの動作401〜407は、必ずしもすべての実施形態ではなく、たとえば、動作402および／または404〜407などの、いくつかの代替実施形態においてのみ実施されてもよいことに留意されたい。方法400は、以下の動作を含む場合がある。
【０２２５】
いくつかの実施形態においてのみ実施され得る動作401は、たとえば、DCIフォーマット1A、DCIフォーマット0などの、PDSCHスケジューリングに使用されるDCIフォーマット220−1を決定することを含む場合がある。
【０２２６】
いくつかの実施形態においてのみ実施され得る動作402は、受信デバイス120−2がPDSCH上にスケジュールされているか否かを判定することを含む場合がある。この判定に基づいて、異なるDCIフォーマット220−1、220−2、220−3のDCI210−1が送信される場合がある
【０２２７】
動作403は、送信バースト情報を含むDCI210−1を送信することを含み、DCI210−1は、PDSCHスケジューリングに使用されるDCIフォーマット220−1と同じ数のビットを有する。
【０２２８】
いくつかの実施形態では、DCI210−1は、DCI210−1が送信バースト情報を含むことを指定する指示を含む場合がある。
【０２２９】
いくつかの実施形態では、DCI210−1、210−2は、PDSCHがスケジュールされている受信デバイス120−2にそれが送信されるとき、送信バースト情報とPDSCHスケジューリング用の制御情報の両方を含んで送信されてもよい。
【０２３０】
いくつかの実施形態では、DCI210−1、210−2は、それが送信バースト情報のみを含むか、またはそれがPDSCHスケジューリング用の制御情報も含むかにかかわらず、同じ数のビットを含む場合がある。
【０２３１】
受信デバイス120−2がPDSCH上にスケジュールされていないいくつかの実施形態では、送信バースト情報用のフォーマット220−2を含むDCI210−1が送信されてもよい。
【０２３２】
受信デバイス120−2がPDSCH上にスケジュールされているいくつかの実施形態では、DCI210−1は、送信バースト情報に加えてPDSCHスケジューリング用のフォーマット220−3を含む。
【０２３３】
指示は、いくつかの実施形態では、DCI210−1、210−2が、DCIフォーマット0が使用されることを示すフラグを含む送信バースト情報を含むことを指定することができる。
【０２３４】
指示は、いくつかの実施形態では、DCI210−1、210−2が、DCIフォーマット0／1Aが使用されることを示すフラグ以外のビットに含まれる送信バースト情報を含むことを指定することができる。
【０２３５】
指示は、いくつかの実施形態では、あらかじめ定義されたコードポイントを含む場合がある。そのようなあらかじめ定義されたコードポイントは、いくつかの実施形態では、DCI210−1、210−2内のリソース割当て情報から導出された無効状態であってもよい。
【０２３６】
いくつかの代替実施形態においてのみ実施され得る動作404は、PDSCHがスケジュールされている受信デバイス120−2に、PDSCHスケジューリング用の制御情報を含む第2のDCI210−2を送信することを含む場合がある。第2のDCI210−2は、いくつかの実施形態では、たとえば、いくつかの代替実施形態においけるフォーマット1Aなどの、PDSCHスケジューリング専用のフォーマット220−1を有することができる。
【０２３７】
いくつかの代替実施形態においてのみ実施され得る動作405は、以下の3つの送信バースト情報：現在のサブフレームが終端サブフレームであるか否か、終端サブフレーム構成、および／または監視すべきサブフレームの数のうちの少なくとも2つを結合符号化することを含む場合がある。
【０２３８】
いくつかの代替実施形態においてのみ実施され得る動作406は、いくつかの実施形態により、結合RRC構成および物理層シグナリングによって終端サブフレーム構成を示すことを含む場合がある。
【０２３９】
いくつかの代替実施形態においてのみ実施され得る動作407は、RRCシグナリングによって示される送信電力に加えられるべきオフセットとして負でない値を提供することにより、CRS／CSI−RS信号電力を示すことを含む場合がある。
【０２４０】
図5は、前述された動作401〜407のうちの少なくとも1つに従って、前述された方法400を実施することにより、ダウンリンク制御シグナリングによって受信デバイス120に送信バースト情報を提供するための送信デバイス110の一実施形態を示す。
【０２４１】
送信デバイス110は、送信バースト情報を含むDCI210−1を送信するように構成され、DCI210−1は、PDSCHスケジューリングに使用されるDCIフォーマット220−1のサイズ（同じ数のビット）を有する。さらに、いくつかの実施形態では、送信デバイス110は、たとえば、様々な実施形態におけるフォーマット0／1Aまたは同様のものなどの、PDSCHスケジューリングに使用されるDCIフォーマット220−1を決定するようにさらに構成される場合がある。
【０２４２】
いくつかの実施形態では、DCI210−1は、DCI210−1が送信バースト情報を含むことを指定する指示を含む場合がある。
【０２４３】
送信バースト情報は、様々な実施形態により、終端サブフレーム構成、CRSおよび／もしくはCSI−RSの電力、現在のサブフレームが終端サブフレームであるか否か、1／2もしくは4／6のOFDMシンボルCRS、MBSFNもしくは非MBSFN、現在進行中の送信バースト内で、現在のサブフレームから始まる、予想されるダウンリンクサブフレームの数、ダウンリンク送信終了後のサブフレームの数、受信デバイス120が送信を検出し、DCIを監視し、CSI測定を実施する必要がない間の持続時間、CSI−RS／CSI−IMの存在、またはEPDCCH／PDSCHレートマッチングのためのDRSの存在のうちのいずれかを含む場合がある。終端サブフレームのタイプおよび構成は、いくつかの実施形態では、DL送信バーストの最後のサブフレーム内のDL送信ブロックの数であり得る。
【０２４４】
送信デバイス110は、いくつかの実施形態においてPDSCHがスケジュールされている受信デバイス120−2にそれが送信されるとき、送信バースト情報とPDSCHスケジューリング用の制御情報の両方を含むDCI210−1を送信するようにさらに構成される場合もある。
【０２４５】
さらに、DCI210−1は、それが送信バースト情報のみを含むか、またはそれがPDSCHスケジューリング用の制御情報も含むかにかかわらず、同じ数のビットを含む場合がある。
【０２４６】
いくつかの実施形態によれば、送信デバイス110は、PDSCHがスケジュールされている受信デバイス120−2にPDSCHスケジューリング用の制御情報を含む第2のDCI210−2を送信するようにさらに構成される場合もある。
【０２４７】
また、DCI210−1、210−2が送信バースト情報を含むことを指定する指示は、DCIフォーマット0が使用されることを示すフラグを含む場合がある。
【０２４８】
さらに、DCI210−1、210−2が送信バースト情報を含むことを指定する指示は、DCIフォーマット0／1Aが使用されることを示すフラグ以外のビットに含まれてもよい。
【０２４９】
さらに加えて、いくつかの実施形態では、DCI210−1、210−2が送信バースト情報を含むことを指定する指示は、あらかじめ定義されたコードポイントを含む場合がある。
【０２５０】
さらに、あらかじめ定義されたコードポイントは、DCI210−1、210−2内のリソース割当て情報から導出された無効状態である。
【０２５１】
送信デバイス110は、以下の3つの送信バースト情報：現在のサブフレームが終端サブフレームであるか否か、終端サブフレーム構成、および／または監視すべきサブフレームの数のうちの少なくとも2つを結合符号化するようにさらに構成される場合がある。
【０２５２】
さらに、いくつかの実施形態によれば、送信デバイス110は、結合RRC構成および物理層シグナリングによって終端サブフレーム構成を示すようにさらに構成される場合がある。
【０２５３】
送信デバイス110は、RRCシグナリングによって示される送信電力に加えられるべきオフセットとして負でない値を提供することにより、CRS／CSI−RS信号電力を示すようにさらに構成される場合がある。
【０２５４】
送信デバイス110は、プロセッサ520を備える場合がある。プロセッサ520は、プロセッサ520にロードされると、上述された動作401〜405のうちの少なくともいくつかを実施するように構成される。
【０２５５】
そのようなプロセッサ520は、処理回路の1つまたは複数のインスタンス、すなわち、中央処理装置（CPU）、処理ユニット、処理回路、プロセッサ、特定用途向け集積回路（ASIC）、マイクロプロセッサ、または命令を解釈し実行することができる他の処理ロジックを含む場合がある。したがって、本明細書で利用される表現「プロセッサ」は、たとえば、上記に列挙されたもののうちのいずれか、いくつか、またはすべてなどの、複数の処理回路を含む処理回路を表すことができる。
【０２５６】
送信デバイス110はまた、送信バースト情報を含むDCI210−1を送信するように構成された送信回路530をさらに備え、DCI210−1は、PDSCHスケジューリングに使用されるDCIフォーマット220−1のサイズ（同じ数のビット）を有する。
【０２５７】
さらに、送信デバイス110はまた、いくつかの実施形態では、ワイヤレスシグナリングを受信するための受信回路510を備える場合がある。
【０２５８】
動作401〜407を含む方法400は、方法400の機能を実施し、ダウンリンク制御シグナリングによって受信デバイス120に送信バースト情報を提供するためのコンピュータプログラム製品とともに、送信デバイス110内の1つまたは複数のプロセッサ520を介して実装される場合がある。
【０２５９】
したがって、動作401〜407の任意の実施形態による方法400を実施するためのプログラムコードを含むコンピュータプログラムは、コンピュータプログラムがプロセッサ520にロードされたときに実施されてもよい。
【０２６０】
上述されたコンピュータプログラム製品は、たとえば、プロセッサ520にロードされるときに、いくつかの実施形態により、動作401〜407のうちの少なくともいくつかを実施するためのコンピュータプログラムコードを搬送するデータキャリアの形態で提供されてもよい。データキャリアは、たとえば、ハードディスク、CD ROMディスク、メモリスティック、光ストレージデバイス、磁気ストレージデバイス、または非一時的方式で機械可読データを保持することができるディスクもしくはテープなどの、任意の他の適切な媒体であってもよい。コンピュータプログラム製品はさらに、サーバ上のコンピュータプログラムコードとして提供され、たとえばインターネット接続またはイントラネット接続を介して、送信デバイス110にダウンロードされてもよい。
【０２６１】
図6は、送信デバイス110からのダウンリンク制御シグナリングを介して送信バースト情報を受信するための、受信デバイス120における方法600の実施形態を示すフローチャートである。
【０２６２】
送信デバイス110および受信デバイス120は、ワイヤレス通信ネットワーク100に含まれてもよい。そのようなワイヤレス通信ネットワーク100は、LAAに基づく場合がある。
【０２６３】
送信バースト情報は、様々な実施形態により、終端サブフレーム構成、CRSおよび／もしくはCSI−RSの電力、現在のサブフレームが終端サブフレームであるか否か、1／2もしくは4／6のOFDMシンボルCRS、MBSFNもしくは非MBSFN、現在進行中の送信バースト内で、現在のサブフレームから始まる、予想されるダウンリンクサブフレームの数、ダウンリンク送信終了後のサブフレームの数、受信デバイス120が送信を検出し、DCIを監視し、CSI測定を実施する必要がない間の持続時間、CSI−RS／CSI−IMの存在、またはEPDCCH／PDSCHレートマッチングのためのDRSの存在のうちのいずれかを含む場合がある。
【０２６４】
送信デバイス110から送信バースト情報を適切に受信するために、方法600は、いくつかの動作601〜608を含む場合がある。
【０２６５】
しかしながら、記載された動作601〜608のうちのいずれか、いくつか、またはすべては、様々な実施形態により、列挙が示すものとは若干異なる時系列で実施されてもよく、同時に実施されてもよく、さらに完全に逆の順序で実施されてもよい。さらに、記載された動作604〜608のうちのいくつかは、いくつかの代替実施形態においてのみ実施されてもよい。方法600は、以下の動作を含む場合がある。
【０２６６】
動作601は、送信バースト情報を含むDCI210−1を受信することを含み、DCI210−1は、PDSCHスケジューリングに使用されるDCIフォーマット220−1のサイズ（同じ数のビット）を有する。DCI210−1は、送信デバイス110から受信される場合がある。
【０２６７】
いくつかの実施形態では、DCI210−1は、DCI210−1が送信バースト情報を含むことの指示を含む場合がある。
【０２６８】
動作602は、たとえばその指示に基づいて、601で受信されたDCI210−1が送信バースト情報を含むと判断することを含む。
【０２６９】
動作603は、601で受信されたDCI210−1から送信バースト情報を導出することを含む。
【０２７０】
いくつかの実施形態においてのみ実施され得る動作604は、受信デバイス120がPDSCHでスケジュールされるときに、PDSCHスケジューリング用の制御情報を含む第2のDCI210−2を送信デバイス110から受信することを含む場合がある。
【０２７１】
動作604が実施されたいくつかの実施形態においてのみ実施され得る動作605は、第2のDCI210−2内のPDSCHスケジューリング用の制御情報を導出することを含む場合がある。
【０２７２】
受信されたDCI210−2が送信バースト情報とPDSCHスケジューリング用の制御情報の両方を含み、DCIが送信バースト情報に加えてPDSCHスケジューリング用の制御情報も含むことを指定する指示も含まれる場合がある、いくつかの代替実施形態では、動作605は、受信されたDCI210−2から、データ送信バーストに関する情報とPDSCHスケジューリング用の制御情報の両方を導出することをさらに含む場合がある。
【０２７３】
動作604〜605が実施されたいくつかの実施形態においてのみ実施され得る動作606は、第2のDCI210−2内で受信された制御情報に基づいて、PDSCH上で受信された任意の情報を復号することを含む場合がある。
【０２７４】
受信されたDCI210−2が送信バースト情報とPDSCHスケジューリング用の制御情報の両方を含み、DCIが送信バースト情報に加えてPDSCHスケジューリング用の制御情報も含むことを指示が指定する、いくつかの実施形態では、動作606は、受信されたDCI210−2の導出された制御情報に基づいて、PDSCH上で受信された任意の情報を復号することをさらに含む場合がある。
【０２７５】
いくつかの実施形態においてのみ実施され得る動作607は、受信されたDCI210−1からデータ送信バーストに関する情報とPDSCHスケジューリング用の制御情報の両方を導出することを含む場合がある。
【０２７６】
いくつかの実施形態においてのみ実施され得る動作608は、受信されたDCI210−1の制御情報に基づいて、PDSCH上で受信された任意の情報を復号することを含む場合がある。
【０２７７】
図7は、前述された動作601〜608のうちの少なくとも1つに従って、前述された方法600を実施することにより、ダウンリンク制御シグナリングを介して送信デバイス110から送信バースト情報を受信するための受信デバイス120の一実施形態を示す。
【０２７８】
受信デバイス120は、送信バースト情報を含むDCI210−1を受信するように構成され、DCI210−1は、PDSCHスケジューリングに使用されるDCIフォーマットのサイズ（同じ数のビット）を有し、DCI210−1が送信バースト情報を含むことを指定する指示を含む。
【０２７９】
送信バースト情報は、様々な実施形態により、終端サブフレーム構成、CRSおよび／もしくはCSI−RSの電力、現在のサブフレームが終端サブフレームであるか否か、1／2もしくは4／6のOFDMシンボルCRS、MBSFNもしくは非MBSFN、現在進行中の送信バースト内で、現在のサブフレームから始まる、予想されるダウンリンクサブフレームの数、ダウンリンク送信終了後のサブフレームの数、受信デバイス120が送信を検出し、DCIを監視し、CSI測定を実施する必要がない間の持続時間、CSI−RS／CSI−IMの存在、またはEPDCCH／PDSCHレートマッチングのためのDRSの存在のうちのいずれかを含む場合がある。
【０２８０】
受信デバイス120は、いくつかの実施形態では、たとえばその指示に基づいて、受信されたDCI210−1が送信バースト情報を含むと判断するようにさらに構成される。
【０２８１】
さらに、受信デバイス120は、DCI210−1から送信バースト情報を導出するようにさらに構成される。
【０２８２】
受信デバイス120は、いくつかの代替実施形態では、受信デバイス120がPDSCHでスケジュールされるとき、PDSCHスケジューリング用の制御情報を含む第2のDCI210−2を受信するように構成される場合がある。
【０２８３】
さらに、受信デバイス120は、第2のDCI210−2内のPDSCHスケジューリング用の制御情報を導出するように構成される場合がある。
【０２８４】
また、受信デバイス120は、受信デバイス120がPDSCH上にスケジュールされるとき、第2のDCI210−2内で受信された制御情報に基づいて、PDSCH上で受信された任意のデータ／情報を復号するように構成される場合がある。
【０２８５】
さらに、受信されたDCI210−2が送信バースト情報とPDSCHスケジューリング用の制御情報の両方を含み、DCIが送信バースト情報に加えてPDSCHスケジューリング用の制御情報も含むことを指示が指定する実施形態では、受信デバイス120は、受信されたDCI210−2から、データ送信バーストに関する情報とPDSCHスケジューリング用の制御情報の両方を導出するように構成される場合がある。
【０２８６】
また、受信されたDCI210−2が送信バースト情報とPDSCHスケジューリング用の制御情報の両方を含み、DCIが送信バースト情報に加えてPDSCHスケジューリング用の制御情報も含むことを指示が指定する実施形態では、受信デバイス120は、受信されたDCI210−2の導出された制御情報に基づいて、PDSCH上で受信された任意の情報を復号するように構成される場合がある。
【０２８７】
受信デバイス120は、プロセッサ720を備える場合がある。プロセッサ720は、プロセッサ720にロードされると、上述された動作601〜608のうちの少なくともいくつかを実施するように構成される。
【０２８８】
そのようなプロセッサ720は、処理回路の1つまたは複数のインスタンス、すなわち、中央処理装置（CPU）、処理ユニット、処理回路、プロセッサ、特定用途向け集積回路（ASIC）、マイクロプロセッサ、または命令を解釈し実行することができる他の処理ロジックを含む場合がある。したがって、本明細書で利用される表現「プロセッサ」は、たとえば、上記に列挙されたもののうちのいずれか、いくつか、またはすべてなどの、複数の処理回路を含む処理回路を表すことができる。
【０２８９】
受信デバイス120はまた、いくつかの実施形態では、送信デバイス110からのダウンリンク制御シグナリングを介して送信バースト情報を受信するための受信回路710を備える。
【０２９０】
受信デバイス120はまた、様々なワイヤレスシグナリングを送信するように構成された送信回路730を備える。
【０２９１】
動作601〜608を含む方法600は、プロセッサ720にロードされるときに、ダウンリンク制御シグナリングを介して送信デバイス110から送信バースト情報を取得するために方法600の機能を実施するためのコンピュータプログラム製品とともに、受信デバイス120内の1つまたは複数のプロセッサ720を介して実装される場合がある。
【０２９２】
したがって、動作601〜608のいずれかの実施形態に従って方法600を実施するためのプログラムコードを含むコンピュータプログラムは、コンピュータプログラムがプロセッサ720にロードされたときに実施される場合がある。
【０２９３】
上述されたコンピュータプログラム製品は、たとえば、プロセッサ720にロードされるときに、いくつかの実施形態により、動作601〜608のうちの少なくともいくつかを実施するためのコンピュータプログラムコードを搬送するデータキャリアの形態で提供されてもよい。データキャリアは、たとえば、ハードディスク、CD ROMディスク、メモリスティック、光ストレージデバイス、磁気ストレージデバイス、または非一時的方式で機械可読データを保持することができるディスクもしくはテープなどの、任意の他の適切な媒体であってもよい。コンピュータプログラム製品はさらに、サーバ上のコンピュータプログラムコードとして提供され、たとえばインターネット接続またはイントラネット接続を介して、受信デバイス120にダウンロードされてもよい。
【０２９４】
添付の図面に示されたような実施形態の説明に使用される用語は、記載された方法400、600、送信デバイス110、および／または受信デバイス120を限定するものではない。添付の特許請求の範囲によって規定される本発明から逸脱することなく、様々な変更、置換、および／または修正が行われる場合がある。
【０２９５】
本明細書で使用される「および／または」という用語は、1つまたは複数の関連する列挙された項目のうちのいずれかおよびすべての組合せを含む。本明細書で使用される「または」という用語は、数学的論理和、すなわち包括的な論理和として解釈されるべきであり、特に明記されない限り、数学的排他的論理和（XOR）として解釈されるべきでない。加えて、単数形「a」、「an」、および「the」は、「少なくとも1つ」として解釈されるべきであり、したがって、特に明記されない限り、場合によっては同じ種類の複数のエンティティも含む。「含む」、「備える」、「含んでいる」、および／または「備えている」という用語は、記載された特徴、動作、整数、ステップ、操作、要素、および／または構成要素の存在を指定し、1つまたは複数の他の特徴、動作、整数、ステップ、操作、要素、構成要素、および／またはそれらのグループの存在または追加を排除するものではないことをさらに理解されたい。たとえば、プロセッサなどの単一のユニットは、特許請求の範囲に記載されたいくつかの項目の機能を果たすことができる。特定の手段が相互に異なる従属請求項に列挙されているという単なる事実は、これらの手段の組合せが有利に使用できないことを示すものではない。コンピュータプログラムは、他のハードウェアと一緒に、または他のハードウェアの一部として供給される光記憶媒体または半導体媒体などの適切な媒体上に記憶／分散される場合があるが、インターネットまたは他の有線もしくはワイヤレスの通信システムなどを介して、他の形態で分散される場合もある。
【符号の説明】
【０２９６】
100  ワイヤレス通信ネットワーク
110  送信デバイス
120  受信デバイス
120−1  PDSCHがスケジュールされていない受信デバイス
120−2  PDSCHがスケジュールされている受信デバイス
210−1  第1のDCI
210−2  第2のDCI
220−1  DCIフォーマット
220−2  DCIフォーマット
220−3  DCIフォーマット
400  方法
510  受信回路
520  プロセッサ
530  送信回路
600  方法
710  受信回路
720  プロセッサ
730  送信回路
【図１】
0006727562.tif 000023
【図２Ａ】
0006727562.tif 000024
【図２Ｂ】
0006727562.tif 000025
【図３Ａ】
0006727562.tif 000026
【図３Ｂ】
0006727562.tif 000027
【図４】
0006727562.tif 000028
【図５】
0006727562.tif 000029
【図６】
0006727562.tif 000030
【図７】
0006727562.tif 000031